(57)【特許請求の範囲】
【請求項１】
複数の場面間の場面遷移を行うことが可能な携帯電話機であって、
各々の場面に対して、遷移先の場面が対応付けられた遷移情報を記憶する第１の記憶手段と、
遷移元の場面、遷移元からの遷移先である第１の場面、及びこの第１の場面からの遷移先である第２の場面を順番に経由する経路の使用頻度を各々の経路について示した使用頻度情報を記憶する第２の記憶手段と、
遷移元の場面から第１の場面に遷移したことに基づいて、前記第１の記憶手段により記憶された遷移情報に基づいて、当該第１の場面から遷移する場面の候補を選択可能に表示する第１の表示手段と、
遷移元の場面から第１の場面に遷移したことに基づいて、前記第２の記憶手段により記憶された使用頻度情報に基づいて、前記遷移元の場面から第１の場面への遷移を含む前記経路のうち、使用頻度の高い経路の前記第２の場面を、当該第１の場面から遷移する場面の候補として選択可能に表示する第２の表示手段と、
前記第１の表示手段または第２の表示手段により表示された場面から、いずれかの場面が選択された際に、この選択された場面に遷移する遷移手段と、
を備え、
前記第２の表示手段は、異なる前記遷移元の場面から同一の前記第１の場面に遷移したことに基づいて、異なる前記第２の場面を、当該第１の場面から遷移する場面の候補として選択可能に表示できる
ことを特徴とする携帯電話機。
【請求項２】
前記第２の表示手段は、表示する際にフォーカス位置を最も使用頻度の高い候補の場面の位置に設定して表示することを特徴とする請求項１記載の携帯電話機。
【請求項３】
前記第２の記憶手段により記憶された各々の経路の使用頻度は、最近の所定回数内の使用頻度のみを含んでいることを特徴とする請求項１記載の携帯電話機。
【発明の詳細な説明】
【技術分野】
【０００１】
本発明は、場面遷移の際にユーザに対して遷移先候補を提示する携帯電話機に係り、具体的には、場面遷移の経路の使用頻度に基づいて遷移先候補を決定してこれを提示することによりユーザの場面遷移のための操作負荷を軽減した携帯電話機に関する。
【背景技術】
【０００２】
近年、携帯電話機等の小型デバイスに搭載される機能やストレージ容量が飛躍的に増加しているが、デバイスの携帯性を確保するため機器の形状や入出力インタフェースは、それほど大きくは変化していない。これは、携帯電話機等の小型デバイスにおける画面表示領域やボタン種別の制限が汎用コンピュータに比べて格段に大きいためである。そのため、携帯電話機等の小型デバイスは、目的とする機能を選択して起動するために多くの画面遷移を行う必要があったり、目的のファイルを探すために画面を何度もスクロールさせる必要があったりして、操作に手間や時間がかかってしまうという問題点を抱えている。
【０００３】
そこで、目的とする機能を選択して起動する際に、使用頻度の高いメニューを優先的に表示することで、煩雑なメニュー選択操作を繰り返すことなく、ユーザが所望の機能の設定ができる携帯電話機が提案されている（例えば特許文献１）。この携帯電話機は、ユーザ操作による使用履歴を記録しておくことで、メニューの階層関係を無視して使用頻度の高いメニュー項目や設定情報を項目とする操作画面を生成することにより、ユーザによる機能設定操作の際のユーザビリティを向上させている。
【特許文献１】特開２００６−２８７５５６号公報
【発明の開示】
【発明が解決しようとする課題】
【０００４】
使用頻度の高いメニュー項目や設定情報を優先的に表示する方法では、ユーザが普段から頻繁に使用している項目を使用する際には、操作負荷を軽減することができる。しかしながら実際には、最終的に選択される項目が、その項目自体の使用頻度ではなくその項目が表示されるまでの経路に依存することが多い。ユーザが所定の項目を起動した場合に、ある程度決まった経路を用いて操作を行っている場合が多いからである。
【０００５】
例えば携帯電話機においてメール機能を起動する際に、待ち受けから起動された場合には最終的に受信メールを読むための場面が起動されることが多いのに対し、メニュー画面から起動された場合には最終的に送信メールを作成するための場面が起動されることが多い等、場面遷移の経路によって、最終的に起動される場面が異なってくる場合が多々ある。このような場合に、単純に使用頻度の高い項目を抽出するのみでは、ユーザが携帯電話機で場面遷移を行う際の操作の手間や時間が十分に省かれているとは言えず、まだまだユーザビリティを向上させる余地がある。
【０００６】
本発明は、上記課題を鑑みなされてものであり、ユーザが所定の場面を起動するために場面遷移を行う際に、それまでの場面遷移の経路を考慮して選出された遷移先候補を提示することで、ユーザの場面遷移の操作負荷を軽減することができる携帯電話機を提供することを目的とする。
【課題を解決するための手段】
【０００７】
上記課題を解決するために、本発明に係る携帯電話機は、複数の場面間の場面遷移を行うことが可能な携帯電話機であって、各々の場面に対して、遷移先の場面が対応付けられた遷移情報を記憶する第１の記憶手段と、遷移元の場面、遷移元からの遷移先である第１の場面、及びこの第１の場面からの遷移先である第２の場面を順番に経由する経路の使用頻度を各々の経路について示した使用頻度情報を記憶する第２の記憶手段と、遷移元の場面から第１の場面に遷移したことに基づいて、前記第１の記憶手段により記憶された遷移情報に基づいて、当該第１の場面から遷移する場面の候補を選択可能に表示する第１の表示手段と、遷移元の場面から第１の場面に遷移したことに基づいて、前記第２の記憶手段により記憶された使用頻度情報に基づいて、前記遷移元の場面から第１の場面への遷移を含む前記経路のうち、使用頻度の高い経路の前記第２の場面を、当該第１の場面から遷移する場面の候補として選択可能に表示する第２の表示手段と、前記第１の表示手段または第２の表示手段により表示された場面から、いずれかの場面が選択された際に、この選択された場面に遷移する遷移手段と、を備え、前記第２の表示手段は、異なる前記遷移元の場面から同一の前記第１の場面に遷移したことに基づいて、異なる前記第２の場面を、当該第１の場面から遷移する場面の候補として選択可能に表示できることを特徴とする。
【発明の効果】
【０００８】
本発明に係る携帯電話機によると、ユーザが所定の場面を起動するために場面遷移を行う際に、それまでの場面遷移の経路を考慮して選出された遷移先候補を提示することで、ユーザの場面遷移の操作負荷を軽減することが可能となる。
【発明を実施するための最良の形態】
【０００９】
本発明に係る携帯電話機の実施形態について、添付図面を参照しながら説明する。図１は、本発明に係る携帯電話機１の機能ブロック図である。携帯電話機１は、図１に示すように、主制御部１０、電源回路部１１、操作入力制御部１２、表示制御部１３、カメラインタフェース１４、音声コーデック１５、変復調回路部１６、及び記憶部１７がバスによって相互に接続されて構成される。
【００１０】
主制御部１０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する場面遷移処理や、その他の様々な演算処理や制御処理等を行う。電源回路部１１は、ユーザによる操作キー２１を介した入力に基づいて電源のオン／オフ状態を切り替え、電源がオン状態の場合に電力供給源（バッテリ等）から各部に対して電力を供給して、携帯電話機１を動作可能にする。
【００１１】
操作入力制御部１２は入力インタフェースを備え、操作キー２１によって入力されたデータを主制御部１０に伝送する。表示制御部１３は表示インタフェースを備え、主制御部１０の制御に基づいて、文書データや画像データ等を液晶ディスプレイ２２に表示する。カメラインタフェース１４は、ＣＣＤカメラ２３により撮像された画像信号を入力する。
【００１２】
また、カメラインタフェース１４は、画像エンコーダ（図示せず）を備えている。画像エンコーダは、主制御部１０の制御に基づいて、ＣＣＤカメラ２３が入力した画像信号を、例えばＪＰＥＧ（Ｊｏｉｎｔ  Ｐｈｏｔｏｇｒａｐｈｉｃ  Ｅｘｐｅｒｔｓ  Ｇｒｏｕｐ）やＭＰＥＧ（Ｍｏｖｉｎｇ  Ｐｉｃｔｕｒｅ  Ｅｘｐｅｒｔｓ  Ｇｒｏｕｐ）４などの所定の符号化方式によって圧縮符号化して画像信号を作成したり、符号化された画像信号を他の符号化方式に変換して新たな画像信号を作成したりする。
【００１３】
また、カメラインタフェース１４は、画像デコーダ（図示せず）を備えている。画像デコーダは、符号化画像信号を所定の符号化方式に対応した復号化方式で復号することにより再生画像信号を生成し、生成された再生画像信号を表示制御部１３に伝送する。表示制御部１３は、この生成画像信号を液晶ディスプレイ２２に出力する。
【００１４】
携帯電話機１は、他の携帯電話機１に対して、例えば基地局（図示せず）を介して音声通話処理を行う。すなわち音声コーデック１５は、主制御部１０の制御に基づいて、マイクロフォン２４で集音した音声からアナログ音声信号を生成する。変復調回路部１６は、音声通話の際に、音声コーデック１５からアナログ信号を入力すると、この信号をデジタル信号に変換して送受信回路部２６に伝送する。送受信回路部２６はこのデジタル音声信号をアンテナ２７を介して基地局に送信する。変復調回路部１６は、送受信回路部２６がアンテナ２７を介して基地局から受信したデジタル音声信号を、アナログ音声信号に変換する。音声コーデック１５は、音声通話の際に、変復調回路部１６からアナログ音声信号を取得して、スピーカ２５から音声として出力する。
【００１５】
また、携帯電話機１は、他の携帯電話機や通信端末に対してデータ通信処理を行う。すなわち携帯電話機１は、電子メールやＷｅｂ閲覧データ、画像データ、映像データ等の様々なデータの送受信処理を行う。主制御部１０は、データを受信する際、送受信回路部２６がアンテナ２７を介して基地局から受信した受信信号を変復調回路部１６でスペクトラム逆拡散処理して、データを復元する。このデータは、主制御部１０の指示により、表示制御部１３を介して液晶ディスプレイ２２に表示されたり記憶部１７に記録されたりする。また主制御部１０は、操作入力部１２を介して入力されたデータや記憶部１７に記憶されたデータを送信する際、変復調回路部１６がデータに対してスペクトラム拡散処理を行い、送受信回路部２６がアンテナ２７を介して基地局に送信する。
【００１６】
記憶部１７は、主制御部１０が行う処理の処理プログラムや処理に必要なデータ等を格納するＲＯＭ（Ｒｅａｄ  Ｏｎｌｙ  Ｍｅｍｏｒｙ）やハードディスク、不揮発性メモリ、主制御部１０が処理を行う際に使用されるデータを一時的に記憶するＲＡＭ（Ｒａｎｄｏｍ  Ａｃｃｅｓｓ  Ｍｅｍｏｒｙ）等からなる。主制御部１０が後述する場面遷移処理を行う際の処理プログラムは、例えばＲＯＭに記憶されている。
【００１７】
図２に、携帯電話機１の一例として説明に用いる折り畳み型の携帯電話機について、約１８０度に見開いた状態にして正面から見た外観図を示す。携帯電話機１は、図２に示すように、第１の筐体２８ａと第２の筐体２８ｂとがヒンジ部２８ｃを挟むようにヒンジ結合されており、第１の筐体２８ａ及び第２の筐体２８ｂはヒンジ部２８ｃを介してＸ方向に回転可能に形成されている。
【００１８】
第１の筐体２８ａの中央部には、液晶ディスプレイ２２が設けられている。この液晶ディスプレイ２２には、例えば、メニュー画面４０Ａやショートカット画面４０Ｃ等の各種表示画面が表示される。また、第１の筐体２８ａにおいて、液晶ディスプレイ２２の上部にはスピーカ２５が設けられており、これにより、ユーザが音声を聞くことが可能となる。また第２の筐体２８ｂにおいて、操作キー２１の下部にマイクロフォン２４が設けられており、マイクロフォン２４によって通話時のユーザの音声を集音する。
【００１９】
第２の筐体２８ｂには、数字を入力するための「０」〜「９」の数字キーに加えて、カーソル位置や表示画面全体を上下左右方向に移動するための十字キー２１ａ、メインメニュー画面４０Ａを表示するためのメニューキー２１ｂ、ショートカット画面４０Ｃを表示するためのショートカットキー２１ｃ、メール画面を表示するためのメールキー２１ｄ、ウェブ画面を表示するためのウェブキー２１ｅ、発呼処理を行うための発呼キー２１ｆ、及びデータフォルダ画面４０Ｂに遷移するためのデータフォルダキー２１ｇ等の操作キー２１が設けられており、ユーザはこれらの操作キー２１を押下することにより、「待ち受け」の場面から各種場面に遷移することができる。
【００２０】
携帯電話機１は、処理を行うための場面を複数保持しており、携帯電話機１において行われる処理に応じて様々な場面が起動される。これらの各々の場面には、場面遷移の際に遷移先として選択可能な複数の場面が結び付けられている。携帯電話機１において所定の場面が起動されると、その遷移先として選択可能な複数の場面が、ユーザが操作キー２１を介して選択可能なように提示されて、ユーザがそれらの複数の場面の中から遷移させたい場面を選択することにより、次の場面へと遷移する。これが場面遷移処理である。
【００２１】
記憶部１７は、この場面遷移処理を行うための場面遷移情報３０が記憶される遷移情報記憶部１７ａを備えている。場面遷移情報３０は、携帯電話機１において場面遷移するときの遷移元とこの遷移元から遷移可能な遷移先が示されている情報であり、図３に示すように、遷移元を示す遷移元情報３０ａ、遷移先を示す遷移先情報３０ｂが一つまたは複数対応付けられていて、携帯電話機１はこの場面遷移情報３０に基づいて場面遷移処理を行う。
【００２２】
図４に、場面遷移情報３０に基づいて行われる場面遷移の状態を模式的に示している。例えば場面遷移情報３０によると遷移元である場面「メインメニュー」の遷移先として場面「メール」、「ウェブ」、「データフォルダ」、「カメラ」等が設定されているため、場面「メインメニュー」から遷移できるのは場面「メール」、「ウェブ」、「データフォルダ」、「カメラ」等であることがわかる。また、場面「メール」の遷移先として場面「メールボックス」、「メール送信」、「サーバ設定」、「メール設定」等が設定されているため、場面「メインメニュー」から場面「メール」に遷移した場合には、この場面「メール」からさらに遷移できるのは、場面「メールボックス」、「メール送信」、「サーバ設定」、「メール設定」等であることがわかる。
【００２３】
また、場面遷移情報３０において、場面「データフォルダ」を遷移先としている遷移元の場面として場面「メインメニュー」、「ショートカット」、「待ち受け」、「データ転送」、「メール送信」等が設定されていて、場面「データフォルダ」の遷移先として場面「写真」、「ムービー」、「音楽」、「アニメーション」等が設定されている。そのため、例えば場面「データフォルダ」を経由して遷移する場合には、遷移元の場面「メインメニュー」、「ショートカット」、「待ち受け」、「データ転送」、「メール送信」等のいずれかから場面「データフォルダ」に遷移し、その後、遷移先の場面「写真」、「ムービー」、「音楽」、「アニメーション」等に遷移する。
【００２４】
図５に、場面遷移情報３０に基づいて行われる場面遷移処理の際に液晶ディスプレイ２２に表示される表示画面の画面遷移図を示す。メインメニュー画面４０Ａには、場面遷移情報３０で設定されているように、メール、ウェブ、データフォルダ、カメラ等の遷移先一覧を示す遷移先一覧表示欄４１が表示されていて、ユーザにより例えばデータフォルダが選択されると、液晶ディスプレイ２２にデータフォルダ画面４０Ｂが表示される。またショートカット画面４０Ｃには、同様に場面遷移情報３０で設定されているように、メール、ウェブ、データフォルダ、データ転送等の遷移先一覧を示す遷移先一覧表示欄４１が表示されていて、ユーザにより例えばデータフォルダが選択されると、同様に、液晶ディスプレイ２２にデータフォルダ画面４０Ｂが表示される。
【００２５】
データフォルダ画面４０Ｂには、写真、ムービー、音楽、アニメーション等の遷移先一覧を示す遷移先一覧表示欄４１が表示されていて、ユーザにより例えばアニメーションが選択された場合にはアニメーション画面４０Ｄが表示され、例えば音楽が選択された場合には音楽画面４０Ｅが表示される。アニメーション画面４０Ｄには、例えば記憶部１７に記憶されている各々のアニメーションを遷移先とした遷移先一覧表示欄４１が表示されている。同様に、音楽画面４０Ｅには、例えば記憶部１７に記憶されている各々の音楽を遷移先とした遷移先一覧表示欄４１が表示されている。
【００２６】
このように携帯電話機１において、場面遷移情報３０に基づいて場面遷移処理が行われるが、例えばメインメニュー画面４０Ａのように場面遷移情報３０に遷移先として設定されている場面が多数存在する場合には、ユーザが目的の遷移先場面を選択して起動する際に、カーソル移動や画面スクロールを行わなければならず、操作に手間や時間がかかってしまう。また、ユーザが携帯端末機１において所定の場面を起動する際に、ある程度決まった場面遷移の経路により操作を行う場合が多々ある。そこで、携帯電話機１が、場面遷移を行う際に、過去に同一経路で起動された時に次の遷移先として最も多く選択されている場面を遷移先の候補として提示し、ユーザがこれらの提示された候補の中から遷移先の場面を選択して場面を遷移させることにより、ユーザが少ない操作で所定の場面を起動することができ、ユーザの操作負荷を低減することができる。
【００２７】
そこで携帯電話機１では、場面遷移の際に、場面遷移の経路の使用頻度に基づいて遷移先候補を決定し、これをユーザに対して提示する。記憶部１７は、場面遷移の使用頻度を示す場面遷移頻度情報３１を記憶するための頻度情報記憶部１７ｂを備えている。場面遷移頻度情報３１は、遷移元を示す遷移元情報３１ａ、遷移元からの遷移先（第一遷移先）を示す第一遷移先情報３１ｂ、第一遷移先からの遷移先（第二遷移先）を示す第二遷移先情報３１ｃ、及び使用頻度を示す使用頻度情報３１ｄがそれぞれ対応付けられた情報である。使用頻度情報３１ｄは、遷移元、第一遷移先、第二遷移先の３つの場面を順番に経由する経路の使用頻度（例えば回数）を示している。
【００２８】
例えば図６によると、遷移元の場面「メインメニュー」から第一遷移先の場面「メール」、場面「メール」から第二遷移先の場面「メールボックス」に遷移する経路を使用した回数が５回であり、遷移元の場面「メインメニュー」から第一遷移先の場面「メール」、場面「メール」から第二遷移先の場面「メール送信」に遷移する経路を使用した回数が４回であることが示されている。
【００２９】
ここで、携帯電話機１が場面遷移頻度情報３１を用いて場面遷移処理を行う際の手順について、図７に示すフローチャートに基づいて説明する。なお、始めに遷移元場面として場面「メインメニュー」が起動されていて、液晶ディスプレイ２２にメインメニュー画面４０Ａが表示されているものとする。以下、例えば「ステップＳ１０１」を「Ｓ１０１」のように、「ステップ」の語句を省略して説明する。
【００３０】
液晶ディスプレイ２２に遷移元場面として図８に示すようなメニュー画面４０Ａが表示されている時、ユーザは、このメニュー画面４０Ａに表示されている遷移先の場面の中から任意の遷移先（第一遷移先）を選択して起動する。主制御部１０は、ユーザにより第一遷移先の場面が選択されてこの場面が起動されたか否かを判断する（Ｓ１０１）。第一遷移先の場面が起動されていない場合（Ｓ１０１のＮｏ）は、主制御部１０は第一遷移先の場面が選択されるまで待機する。
【００３１】
第一遷移先の場面が起動された場合（Ｓ１０１のＹｅｓ）は、主制御部１０は、始めに起動されていた場面（ここでは場面「メインメニュー」）を遷移元の場面として記憶部１７（例えばＲＡＭ）に記憶する（Ｓ１０３）。なお、この時点では遷移元の場面は一時的に記憶されるのみで、まだ頻度情報記憶部１７ｂには記憶されない。
【００３２】
主制御部１０は、Ｓ１０１にて選択されて起動された場面を第一遷移先の場面として記憶部１７（例えばＲＡＭ）に記憶する（Ｓ１０５）。ここでは、例えば場面「データフォルダ」が選択されて起動され、第一遷移先として記憶されたものとする。なお、この時点では第一遷移先の場面は一時的に記憶されるのみで、まだ頻度情報記憶部１７ｂには記憶されない。
【００３３】
主制御部１０は、遷移情報記憶部１７ａに記憶されている場面遷移情報３０から、Ｓ１０１にて起動された場面を遷移元情報３０ａとした際に、これに対応付けられた遷移先情報３０ｂを取得する。そして、この遷移先情報３０ｂが示す場面を遷移可能な場面として表示する（Ｓ１０６）。例えば図８に示すデータフォルダ画面４０Ｂの遷移先一覧表示欄４１には、場面遷移情報３０において場面「データフォルダ」に対応付けられている場面「写真」、場面「ムービー」、場面「音楽」、場面「アニメーション」等が表示されている。
【００３４】
主制御部１０は、始めに起動されていた遷移元の場面、Ｓ１０１にて起動された第一遷移先の場面の経路が、過去に同一経路で起動されているか否かを判断する（Ｓ１０７）。この判断は、例えば頻度情報記憶部１７ｂに記憶されている場面遷移頻度情報３１において、遷移元情報３１ａとして始めに起動されていた場面が、第一遷移先情報３１ｂとしてＳ１０１にて起動された場面が対応付けられている使用頻度情報３１ｄが、１以上であるか否かを判断する。例えば図９に示す例では、場面遷移頻度情報３１において、遷移元の場面「メインメニュー」、第一遷移先の場面「データフォルダ」に対して、第二遷移先を場面「アニメーション」とした使用頻度が１８回、場面「ムービー」とした使用頻度が７回、場面「写真」とした使用頻度が６回、場面「音楽」とした使用頻度が２回と記憶されている。よって、過去に同一経路で起動されているものと判断される。
【００３５】
過去に同一経路で起動されている場合（Ｓ１０７のＹｅｓ）は、主制御部１０は、第二遷移先の場面候補として使用頻度の高い場面を取得する（Ｓ１０９）。例えば主制御部１０は、使用頻度の高い第二遷移先の場面を２つ取得する。例えば図９に示す場面遷移頻度情報３１によると、場面「メインメニュー」から場面「データフォルダ」に遷移した場合には、次に場面「アニメーション」に遷移する経路の使用頻度が１８回で最も多い。また、場面「ムービー」に遷移する経路の使用頻度が７回で２番目に多い。これは、場面「メインメニュー」から場面「データフォルダ」に遷移した場合には、次に、場面「アニメーション」が起動される頻度が最も多く、場面「ムービー」が起動される頻度が２番目に多いことを意味する。よって、主制御部１０は、第二遷移先の場面候補として、場面「アニメーション」及び場面「ムービー」を取得する。
【００３６】
主制御部１０は、Ｓ１０９にて取得した第二遷移先の場面候補を表示する（Ｓ１１１）。この際、主制御部１０は、例えば図８に示す表示画面４０Ｂのように、遷移先一覧表示欄４１上に、第二遷移先の場面候補が示された遷移先候補表示欄４２を表示する。ここでは、遷移先候補表示欄４２に、Ｓ１０９にて取得した場面「アニメーション」及び場面「ムービー」が表示される。使用頻度が最も多い経路である場面「アニメーション」の位置にフォーカス位置を合わせておくことにより、ユーザは、少ない操作でこの遷移先候補表示欄４２に表示されている場面「アニメーション」や場面「ムービー」を起動することができる。
【００３７】
主制御部１０は、ユーザにより操作キー２１を介して、遷移先一覧表示欄４１または遷移先候補表示欄４２において、第二遷移先の場面が選択されたか否かを判断する（Ｓ１１３）。第二遷移先の場面が選択されていない場合（Ｓ１１３のＮｏ）は、主制御部１０は第二遷移先の場面が選択されるまで待機する。
【００３８】
第二遷移先の場面が選択された場合（Ｓ１１３のＹｅｓ）は、主制御部１０は、場面遷移の経路の使用頻度を更新する（Ｓ１１５）。すなわち主制御部１０は、Ｓ１０３にて記憶した遷移元の場面、Ｓ１０５にて記憶した第一遷移先の場面、及び、Ｓ１１３にて選択された第二遷移先の場面に対応付けられた使用頻度を更新する。ここでは、例えばＳ１１３にて場面「アニメーション」が選択されたものとすると、遷移元の場面「メインメニュー」、第一遷移先の場面「データフォルダ」、第二遷移先の場面「アニメーション」に対応付けられた使用頻度を、元々の１８回に１回分を追加して１９回とする。
【００３９】
最後に主制御部１０は、Ｓ１１３にて選択された場面を起動する（Ｓ１１７）。ここでは主制御部１０は、図１１に示すように、場面「アニメーション」を起動する。携帯電話機１においてこれらのＳ１０１乃至Ｓ１１７の処理が繰り返されることにより、画面遷移処理が行われ、場面遷移頻度情報３１が更新されていく。
【００４０】
ここで例えば、始めに遷移元の場面として場面「ショートカット」が起動されていた場合について図１０及び図１１に基づいて説明する。図１０に示すように、遷移元の場面「ショートカット」から第一遷移先の場面「データフォルダ」に遷移するものとする。この際、始めに図１１に示すようなショートカット画面４０Ｃが表示されている。この場合においてＳ１０１にて場面「データフォルダ」が選択された時には、場面遷移頻度情報３１によると、遷移元が場面「ショートカット」であり、第一遷移先が場面「データフォルダ」であるため、第二遷移先が場面「音楽」である使用頻度は２２回、場面「ムービー」である使用頻度は２１回、場面「写真」である使用頻度は１９回、場面「アニメーション」である使用頻度は７回である。これは、図１０に示すように、場面「ショートカット」から場面「データフォルダ」に遷移した場合には、次に、場面「音楽」が起動される頻度が最も多く、場面「ムービー」が起動される頻度が２番目に多いことを意味する。
【００４１】
よって図１０に示すように、主制御部１０は、Ｓ１０９にて第二遷移先として最も使用頻度が高い場面「音楽」と、２番目に使用頻度が高い場面「ムービー」を取得する。そして主制御部１０は、Ｓ１１１にて、Ｓ１０９にて取得した場面「音楽」及びお場面「ムービー」が示された遷移先候補表示欄４２を表示する。
【００４２】
すなわち、場面遷移の経路の使用頻度に基づいて、場面「メインメニュー」から場面「データフォルダ」に遷移した場合には、遷移先候補として場面「アニメーション」及び場面「ムービー」が優先的に表示され、場面「ショートカット」から場面「データフォルダ」に遷移した場合には、遷移先候補として場面「音楽」及び場面「ムービー」が優先的に表示されるように、同じ場面「データフォルダ」が起動された場合であっても、それまでの経路によって遷移先候補として表示される場面が異なってくることがわかる。
【００４３】
このように携帯電話機１では、場面遷移が行われるたびに、この場面遷移の経路の使用頻度が更新されていく。そして携帯電話機１において場面が遷移元から第一遷移先に遷移して、次の遷移先である第二遷移先を表示する際に、第二遷移先のうちの使用頻度が高い経路における遷移先を優先的に表示する。これにより、ユーザが携帯電話機１において場面遷移を行う際に、使用頻度が高い経路を用いた場面遷移を少ない操作で行うことができる。
【００４４】
なお、場面遷移頻度情報３１の使用頻度情報３１ｄとして、全ての累計が記憶されても、最近の情報のみ（例えば最近の１００回分の使用頻度、最近の３ヶ月以内の使用頻度等）が記憶されてそれよりも古い情報が削除されるようにしても良い。
【００４５】
また実施形態において、遷移元の場面、第一遷移先の場面、及び第二遷移先の場面の３段階の場面遷移の経路における使用頻度を用いているが、これに限定されず、より多くの段階を含んだ場面遷移の経路における使用頻度を用いても良い。
【００４６】
本発明に係る携帯電話機１によると、ユーザの指示により場面遷移を行うたびに場面遷移の経路を記録しておくことにより、ユーザが所定の場面を起動するために場面遷移を行う際に、それまでの場面遷移の経路を用いた場面遷移において使用頻度の高い遷移先を遷移先候補として選出してユーザに対して提示することで、ユーザの場面遷移の操作負荷を軽減することが可能となった。
【００４７】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等の任意の情報処理端末であっても良い。
【図面の簡単な説明】
【００４８】
【図１】本発明に係る携帯電話機の機能ブロック図。
【図２】本発明に係る携帯電話機を正面から見た外観図。
【図３】場面遷移情報を示すデータ構成図。
【図４】本発明に係る携帯電話機における場面遷移を説明するための図。
【図５】本発明に係る携帯電話機における場面遷移を説明するための画面遷移図。
【図６】場面遷移頻度情報を示すデータ構成図。
【図７】本発明に係る携帯電話機において場面遷移処理を行う際の手順を示すフローチャート。
【図８】本発明に係る携帯電話機において場面遷移処理を行う際の表示画面を示す画面遷移図。
【図９】本発明に係る携帯電話機における場面遷移の一例を説明するための図。
【図１０】本発明に係る携帯電話機における場面遷移の一例を説明するための図。
【図１１】本発明に係る携帯電話機において場面遷移処理を行う際の表示画面を示す画面遷移図。
【符号の説明】
【００４９】
１…携帯電話機，１０…主制御部，１１…電源回路部，１２…操作入力制御部，１３…表示制御部，１４…カメラインタフェース，１５…音声コーデック，１６…変復調回路部，１７…記憶部，１７ａ…遷移情報記憶部，１７ｂ…頻度情報記憶部，２１…操作キー，２１ａ…十字キー，２１ｂ…メニューキー，２１ｃ…ショートカットキー，２１ｄ…メールキー，２１ｅ…ウェブキー，２１ｆ…発呼キー，２２…液晶ディスプレイ，２３…ＣＣＤカメラ，２４…マイクロフォン，２５…スピーカ，２６…送受信回路部，２７…アンテナ，２８ａ…第１の筐体，２８ｂ…第２の筐体，２８ｃ…ヒンジ部，３０…日記情報，３０…場面遷移情報，３１…場面遷移頻度情報，４０、４０Ａ乃至４０Ｅ…表示画面，４１…遷移先一覧表示欄，４２…遷移先候補表示欄。
【図１】
0005277574.tif 000002
【図２】
0005277574.tif 000003
【図３】
0005277574.tif 000004
【図４】
0005277574.tif 000005
【図５】
0005277574.tif 000006
【図６】
0005277574.tif 000007
【図７】
0005277574.tif 000008
【図８】
0005277574.tif 000009
【図９】
0005277574.tif 000010
【図１０】
0005277574.tif 000011
【図１１】
0005277574.tif 000012